【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
デバイスと、当該デバイスに対して処理を要求するデータ処理装置とが通信可能に相互に接続された通信システムであって、
前記デバイスは、
当該デバイスにおいて特定の状態が継続している時間に応じて、前記特定の状態に対応する状態識別情報を変更する変更手段と、
前記変更手段により状態識別情報が変更されたことに応じて、前記デバイスが当該変更された状態識別情報に対応する特定の状態であること示す通知を前記データ処理装置に送信する送信手段とを有し、
前記データ処理装置は、
前記デバイスから前記デバイスが前記特定の状態であることを示す通知を受信する受信手段と、
前記受信手段が受信した通知に基づき、前記デバイスが前記特定の状態であることを、予め定められた表示時間だけ表示装置に表示するための表示手段とを有し、
前記変更手段は、前記状態識別情報を変更する周期を、前記表示時間よりも短くすることを特徴とする通信システム。
【請求項２】
前記送信手段は、当該デバイスの状態に変化があったことに応じて、デバイスの状態を示す通知を前記データ処理装置に対して送信するプロトコルを用いており、
前記変更手段が状態識別情報を変更することで、前記デバイスが継続して前記特定の状態であったとしても、前記プロトコルを用いて前記デバイスが前記特定の状態であることを示す通知を再度、前記データ処理装置に送信することを特徴とする請求項１に記載の通信システム。
【請求項３】
前記送信手段が送信する通知には前記状態識別情報が含まれ、
前記データ処理装置は、前記受信手段が受信した通知に含まれる前記状態識別情報に基づいて、前記デバイスの前記特定の状態の継続が一定時間を超えたことを検出する検出手段を有し、
前記表示手段は、前記検出手段により前記デバイスの前記特定の状態の継続が一定時間を超えたことが検出された場合に、前記受信手段が受信した通知に基づき、前記デバイスが前記特定の状態であることを表示する際に、それまでに表示していた情報と異なる情報を前記表示装置に表示することを特徴とする請求項１又は２に記載の通信システム。
【請求項４】
前記デバイスは、前記状態識別情報を変更する周期を設定する設定手段を有し、
前記設定手段は、前記データ処理装置からの前記デバイスに対する要求に、前記表示時間に関する情報が含まれていた際に、前記状態識別情報を変更する周期を当該表示時間よりも短くなるように設定することを特徴とする請求項１〜３の何れか１項に記載の通信システム。
【請求項５】
デバイスと、当該デバイスに対して処理を要求するデータ処理装置とが通信可能に相互に接続された通信システムにおける通信処理方法であって、
前記デバイスは、
当該デバイスにおいて特定の状態が継続している時間に応じて、前記特定の状態に対応する状態識別情報を変更する変更工程と、
前記変更工程で状態識別情報が変更されたことに応じて、前記デバイスが当該変更された状態識別情報に対応する特定の状態であること示す通知を前記データ処理装置に送信する送信工程とを有し、
前記データ処理装置は、
前記デバイスから前記デバイスが前記特定の状態であることを示す通知を受信する受信工程と、
前記受信した通知に基づき、前記デバイスが前記特定の状態であることを、予め定められた表示時間だけ表示装置に表示するための表示工程とを有し、
前記変更工程では、前記状態識別情報を変更する周期を、前記表示時間よりも短くすることを特徴とする通信処理方法。
【請求項６】
デバイスから通知された当該デバイスの状態を予め定められた表示時間だけ表示装置に表示するデータ処理装置と通信可能に接続されたデバイスであって、
前記デバイスにおいて特定の状態が継続している時間に応じて、前記特定の状態に対応する状態識別情報を変更する変更手段と、
前記変更手段により状態識別情報が変更されたことに応じて、前記デバイスが当該変更された状態識別情報に対応する特定の状態であること示す通知を前記データ処理装置に送信する送信手段とを有することを特徴とするデバイス。
【請求項７】
前記送信手段は、当該デバイスの状態に変化があったことに応じて、デバイスの状態を示す通知を前記データ処理装置に対して送信するプロトコルを用いており、
前記変更手段が状態識別情報を変更することで、前記デバイスが継続して前記特定の状態であったとしても、前記プロトコルを用いて前記デバイスが前記特定の状態であることを示す通知を再度、前記データ処理装置に送信することを特徴とする請求項６に記載のデバイス。
【請求項８】
デバイスから通知された当該デバイスの状態を予め定められた表示時間だけ表示装置に表示するデータ処理装置と通信可能に接続されたデバイスにおける通信処理方法であって、
前記デバイスにおいて特定の状態が継続している時間に応じて、前記特定の状態に対応する状態識別情報を変更する変更工程と、
前記変更工程で状態識別情報が変更されたことに応じて、前記デバイスが当該変更された状態識別情報に対応する特定の状態であること示す通知を前記データ処理装置に送信する送信工程とを有することを特徴とする通信処理方法。
【請求項９】
請求項６又は７に記載のデバイスの各手段としてコンピュータを機能させることを特徴とするコンピュータプログラム。
【手続補正２】
【補正対象書類名】明細書
【補正対象項目名】発明の名称
【補正方法】変更
【補正の内容】
【発明の名称】通信システム、通信処理方法、及びデバイス
【手続補正３】
【補正対象書類名】明細書
【補正対象項目名】０００１
【補正方法】変更
【補正の内容】
【０００１】
本発明は、通信システム、通信処理方法、及びデバイスに関し、特に、デバイスの状態を表示するために用いて好適なものである。
【手続補正４】
【補正対象書類名】明細書
【補正対象項目名】０００８
【補正方法】変更
【補正の内容】
【０００８】
本発明の通信システムは、デバイスと、当該デバイスに対して処理を要求するデータ処理装置とが通信可能に相互に接続された通信システムであって、前記デバイスは、当該デバイスにおいて特定の状態が継続している時間に応じて、前記特定の状態に対応する状態識別情報を変更する変更手段と、前記変更手段により状態識別情報が変更されたことに応じて、前記デバイスが当該変更された状態識別情報に対応する特定の状態であること示す通知を前記データ処理装置に送信する送信手段とを有し、前記データ処理装置は、前記デバイスから前記デバイスが前記特定の状態であることを示す通知を受信する受信手段と、前記受信手段が受信した通知に基づき、前記デバイスが前記特定の状態であることを、予め定められた表示時間だけ表示装置に表示するための表示手段とを有し、前記変更手段は、前記状態識別情報を変更する周期を、前記表示時間よりも短くすることを特徴とする。
本発明のデバイスは、デバイスから通知された当該デバイスの状態を予め定められた表示時間だけ表示装置に表示するデータ処理装置と通信可能に接続されたデバイスであって、前記デバイスにおいて特定の状態が継続している時間に応じて、前記特定の状態に対応する状態識別情報を変更する変更手段と、前記変更手段により状態識別情報が変更されたことに応じて、前記デバイスが当該変更された状態識別情報に対応する特定の状態であること示す通知を前記データ処理装置に送信する送信手段とを有することを特徴とする。
【手続補正５】
【補正対象書類名】明細書
【補正対象項目名】０００９
【補正方法】変更
【補正の内容】
【０００９】
本発明の通信処理方法は、デバイスと、当該デバイスに対して処理を要求するデータ処理装置とが通信可能に相互に接続された通信システムにおける通信処理方法であって、前記デバイスは、当該デバイスにおいて特定の状態が継続している時間に応じて、前記特定の状態に対応する状態識別情報を変更する変更工程と、前記変更工程で状態識別情報が変更されたことに応じて、前記デバイスが当該変更された状態識別情報に対応する特定の状態であること示す通知を前記データ処理装置に送信する送信工程とを有し、前記データ処理装置は、前記デバイスから前記デバイスが前記特定の状態であることを示す通知を受信する受信工程と、前記受信した通知に基づき、前記デバイスが前記特定の状態であることを、予め定められた表示時間だけ表示装置に表示するための表示工程とを有し、前記変更工程では、前記状態識別情報を変更する周期を、前記表示時間よりも短くすることを特徴とする。
【手続補正６】
【補正対象書類名】明細書
【補正対象項目名】００１０
【補正方法】変更
【補正の内容】
【００１０】
本発明のコンピュータプログラムは、前記デバイスの各手段としてコンピュータを機能させることを特徴とする。
【手続補正７】
【補正対象書類名】明細書
【補正対象項目名】００１１
【補正方法】変更
【補正の内容】
【００１１】
本発明によれば、デバイスの状態が継続している場合であっても、データ処理装置における表示時間が経過する前に、内容を変更したステータス情報をデータ処理装置に送信することができる。これにより、デバイスの状態が継続している場合であっても、デバイスの状態に関わる情報を継続して表示することができる。よって、デバイスの状態に関する表示をデータ処理装置のユーザが見落としてしまうことを可及的に防止することができる。